(57)【要約】  Ｂａｋｒｉ分娩後出血バルーンなどの子宮タンポナーデバルーンカテーテル装置と共に使用するためのデバイスが開示される。デバイスは、その近位端にハブを含み、その遠位端に非外傷性先端を含むスタイレットを含む。デバイスは、タンポナーデバルーンカテーテル装置に取り外し可能に結合されて、子宮腔内へのタンポナーデバルーンカテーテルの挿入及び位置決めを支援し、バルーンが分娩後出血及び子宮出血の制御及び管理のために意図されたように機能することを可能にするように構成される。タンポナーデバルーンカテーテルは、挿入及び使用中の超音波による視覚化を支援するエコー源性要素を含む。デバイスの使用方法も開示される。
2022500219.tif 000002
【特許請求の範囲】
【請求項１】
近位端及び遠位端を有する縦方向本体を含むスタイレットと、
前記スタイレットの近位端のハブとを含み、前記ハブは、近位端、遠位端、及びそれらの間に延在してハブルーメンを画定する側壁を含み、前記側壁は、第１の厚さを有する第１の部分、及び第２の厚さを含む第２の部分を含み、前記第２の厚さは前記第１の厚さよりも大きく、前記スタイレットは前記第２の部分に結合されている、位置決めデバイス。
【請求項２】
前記スタイレットの遠位端が非外傷性先端を含み、前記非外傷性先端はボール、球、ドーム、フック、アイレット、リング及びループの少なくとも１つを含む、請求項１に記載のデバイス。
【請求項３】
前記スタイレットの前記非外傷性先端が前記スタイレットと同じ材料から形成される、請求項１に記載のデバイス。
【請求項４】
前記スタイレットの前記非外傷性先端が前記スタイレットの材料と異なる材料から形成される、請求項１に記載のデバイス。
【請求項５】
前記スタイレットが約０．０１５インチから約０．１２５インチの外径を含む、請求項１に記載のデバイス。
【請求項６】
前記ハブの前記側壁が外面を含み、前記外面の少なくとも一部は、ねじ山、リブ、結合機構、かかり、フランジ、チャネル及び突起の少なくとも１つを含む、請求項１に記載のデバイス。
【請求項７】
前記ハブが約２５Ｄから約４０Ｄのデュロメータを含む、請求項１に記載のデバイス。
【請求項８】
前記第１の部分が第１のデュロメータを含み、前記第２の部分が第２のデュロメータを含み、前記第１のデュロメータは前記第２のデュロメータと異なる、請求項１に記載のデバイス。
【請求項９】
前記第２の部分が前記ハブの前記近位端と遠位端の間に延びる、請求項１に記載のデバイス。
【請求項１０】
前記第２の部分が前記ハブの少なくとも一部の全円周周りに延びる、請求項１に記載のデバイス。
【請求項１１】
前記第２の部分が前記ハブの少なくとも一部の円周周りに少なくとも部分的に延びる、請求項１に記載のデバイス。
【請求項１２】
カテーテル組立体であって、
近位端及び遠位端を有するスタイレットと、
前記スタイレットの前記近位端のハブと
を含む位置決めデバイス、並びに
近位端及び遠位端と、それらの間に延びる少なくとも１つのルーメンとを含み、少なくとも１つのエコー源性要素がその上に配置されているカテーテルと、
前記カテーテルの少なくとも一部の周りに配置された拡張可能なタンポナーデデバイスと
を含むタンポナーデバルーンカテーテルを含み、
前記スタイレットが、前記少なくとも１つのカテーテルルーメンの少なくとも一部内を縦方向に延びるように構成される、
カテーテル組立体。
【請求項１３】
前記少なくとも１つのエコー源性要素が前記カテーテルの前記遠位端に位置付けられる、請求項１２に記載の組立体。
【請求項１４】
前記エコー源性要素が複数のエコー源性ビーズを含む、請求項１２に記載の組立体。
【請求項１５】
前記エコー源性ビーズがポリマー材料に埋め込まれる、請求項１４に記載の組立体。
【請求項１６】
前記ポリマー材料が前記カテーテルの前記遠位端にオーバーモールドされる、請求項１５に記載の組立体。
【請求項１７】
前記エコー源性ビーズがガラス、ポリマー材料、金属及びそれらの組み合わせの少なくとも１つから形成される、請求項１４に記載の組立体。
【請求項１８】
前記エコー源性要素がポリマーコーティングを含む、請求項１２に記載の組立体。
【請求項１９】
前記エコー源性要素が、ボンディング、ＲＦ溶接、接着剤、オーバーモールド及び機械的アタッチメント機構の少なくとも１つによって前記カテーテルに結合される、請求項１２に記載の組立体。
【請求項２０】
前記ハブが、近位端、遠位端、及びそれらの間に延在してハブルーメンを画定する側壁をさらに含み、前記側壁は、第１の厚さを有する第１の部分、及び第２の厚さを含む第２の部分を含み、前記第２の厚さは前記第１の厚さよりも大きく、前記スタイレットは前記第２の部分に結合されている、請求項１２に記載の組立体。
【請求項２１】
前記ハブが、近位端、遠位端、及びそれらの間に延在してハブルーメンを画定する側壁をさらに含み、前記ハブの前記側壁が外面を含み、前記外面の少なくとも一部は、ねじ山、リブ、結合機構、かかり、フランジ、チャネル及び突起の少なくとも１つを含む、請求項１２に記載の組立体。
【請求項２２】
前記カテーテルの前記近位端が膨張用ポートをさらに含み、前記膨張用ポートの近位端はハブルーメン内に取り外し可能に受け入れられるように構成される、請求項１２に記載の組立体。
【発明の詳細な説明】
【技術分野】
【０００１】
関連出願
本出願は、米国特許法第１１９条（ｅ）の下、２０１８年９月２１日に提出された米国仮特許出願第６２／７３４，４２２号の提出日の利益を主張し、その仮特許出願はこれによって参照により組み込まれる。
【０００２】
本発明は、概して、子宮出血を制御するための装置及び方法に関し、より具体的には、子宮内へのタンポナーデ組立体の適切な挿入及び位置決めを容易にする、子宮タンポナーデ組立体と一緒に使用するための付属デバイスに関する。本発明はまた、概して、使用中、超音波による組立体の視覚化及び位置決めを支援するための、子宮タンポナーデ組立体のエコー源性構成要素に関する。
【背景技術】
【０００３】
子宮出血は、経膣分娩及び／又は帝王切開分娩に続く分娩後出血（ＰＰＨ）を含む、様々な原因に起因する臨床状態である。分娩後出血すなわち分娩後の過剰血液喪失は、一般に、出産後、子宮が正常に収縮できず、持続出血を生じてしまう子宮弛緩症に起因する。治療されないまま放置されると、ＰＰＨは、深刻な合併症を引き起こしたり、又はさらには死に至ったりすることがある。
【０００４】
筋収縮薬又は筋収縮剤の単独での、又は他の機械若しくは外科技術と組み合わせての投与を含む、ＰＰＨを治療及び管理するために使用される様々な技術がある。１つのそのような技術は、バルーンタンポナーデカテーテルなどのタンポナーデ装置を子宮内に挿入することを含み、ここでは、バルーンは、全体的に下部子宮部分の輪郭に一致するまで、十分な圧力及び体積に膨張される。子宮内壁に圧力を加えることは、出血が制御されるか又は止まるまで、タンポナーデ効果をもたらす。子宮タンポナーデバルーンカテーテルの一例は、Ｂａｋｒｉバルーン（Ｃｏｏｋ  Ｍｅｄｉｃａｌ  Ｔｅｃｈｎｏｌｏｇｉｅｓ  ＬＬＣ，Ｂｌｏｏｍｉｎｇｔｏｎ，Ｉｎｄｉａｎａ）である。Ｂａｋｒｉバルーンの効果は、効率的且つ適切な挿入、配置及び膨張、並びに子宮腔内での適切な位置でのバルーンの維持に、部分的に起因し得る。
【０００５】
ほとんどの場合、バルーンタンポナーデカテーテルの使用が求められるとき、医師は、カテーテルのバルーン部分を子宮に挿入し、バルーン全体が子宮頚管及び内子宮口を通り過ぎて挿入されていることを確かめ得る。挿入は、経膣分娩に続いて経膣的に、又は帝王切開分娩に続いて経腹的に成し遂げられ得る。それゆえ、イントロデューサなどの付属デバイスを提供することが望ましく、これは、使用中適所に留まり、且つまたバルーンタンポナーデカテーテルの適切な位置決めを維持するためのポジショナーとしての機能を果たし得、これは、患者の子宮内にバルーンタンポナーデカテーテルを効率的に、効果的に、そして正確に挿入及び位置決めするために使用され得る。子宮内でのバルーンタンポナーデカテーテルの視覚化及び配置により医師を支援するために、エコー源性構成要素又は要素をバルーンタンポナーデカテーテルに提供することも望ましい。したがって、開示されるイントロデューサデバイス及び／又は開示されるエコー源性構成要素は、Ｂａｋｒｉバルーンなどの様々な公知の子宮タンポナーデ組立体と一緒に使用され得る。
【０００６】
開示されるイントロデューサデバイスは、子宮にタンポナーデ組立体を迅速に導入し、タンポナーデ組立体の使用中に適所に留まるために使用され得る。これにより、バルーンが、ＰＰＨ及び子宮出血の制御及び管理に関して目的通りに機能することが可能になり得る。好都合にも、開示されるイントロデューサデバイスは、したがって、外傷を生じることなく患者の解剖学的構造を進むために、限定されるものではないが、可撓性、捻力及び柔軟性を含む属性及び特性の所望の組み合わせをもたらす一方、タンポナーデ組立体の挿入を支援する十分な押し込み性（ｐｕｓｈａｂｉｌｉｔｙ）及びコラム強度を有し、且つタンポナーデバルーン組立体の使用中に適所に置かれたままである場合には適切なドレナージを可能にし得る。さらに、開示されるエコー源性構成要素は、挿入中の改善された視覚化を提供し、子宮内のタンポナーデ組立体の正確な位置決め及び配置を支援することができる。
【発明の概要】
【課題を解決するための手段】
【０００７】
一例では、本開示は、近位端及び遠位端を有する縦方向本体を含むスタイレットを含む位置決めデバイスを記載する。ハブがスタイレットの近位端に位置する。ハブは、近位端と、遠位端と、それらの間に延在してハブルーメンを画定する側壁とを含み、側壁は、第１の厚さを有する第１の部分と、第２の厚さを含む第２の部分とを含み、第２の厚さは第１の厚さよりも大きく、スタイレットは第２の部分に結合されている。
【０００８】
別の例では、カテーテル組立体が記載されている。カテーテル組立体は、近位端及び遠位端を有するスタイレットと、スタイレットの近位端のハブとを含む位置決めデバイスを備える。組立体は、近位端及び遠位端と、それらの間に延びる少なくとも１つのルーメンとを有するカテーテルを含むタンポナーデバルーンカテーテルをさらに含み、カテーテルは、その上に配置された少なくとも１つのエコー源性要素を含む。組立体は、カテーテルの少なくとも一部の周りに配置された拡張可能なタンポナーデデバイスをさらに含む。スタイレットは、少なくとも１つのカテーテルルーメンの少なくとも一部内を縦方向に延びるように構成される。
【図面の簡単な説明】
【０００９】
【図１】タンポナーデバルーンカテーテルの一例の経膣挿入及び膨張を示す患者の解剖学的構造の側面図であり、イントロデューサデバイスの例がタンポナーデバルーンカテーテルに結合され、ドレナージ組立体がタンポナーデバルーンカテーテルに結合されている。
【図２】エコー源性要素の一例を有する、図１のタンポナーデバルーンカテーテルの遠位端の拡大図である。
【図３】超音波による複数のタンポナーデバルーンカテーテル組立体の遠位先端の視覚化を示しており、各先端は様々な量のエコー源性を有する。
【図４】ハブ及びハブから延びるスタイレットを含む、イントロデューサデバイスの一例の斜視図である。
【図５】ハブ及びハブから延びるスタイレットを含む、イントロデューサデバイスの一例の側面図である。
【図６】タンポナーデバルーンカテーテルの近位端の一例の側面断面図であり、ハブ及びスタイレットが取り外し可能に結合され、ドレナージ管がハブの近位端に取り外し可能に結合されている。
【図７】図６に示されるタンポナーデバルーンカテーテルの一例の断面図である。
【図８】タンポナーデバルーンカテーテルの一例の経腹的挿入を示す。
【図９】ハブ及びハブに取り付けられた非外傷性遠位先端を有するスタイレットを含むイントロデューサデバイスの一例の斜視図である。
【図１０】図９のスタイレットの非外傷性遠位先端の拡大図である。
【図１１】タンポナーデバルーンカテーテルの一例の近位端の拡大図であり、サイドアームがイントロデューサデバイスのハブの一例の近位端に挿入されている。
【発明を実施するための形態】
【００１０】
本明細書を通して、近位及び近位にという用語は、患者の身体から離れる又はさらには患者の体の外部にある位置又は方向を指すために使用され、遠位及び遠位にという用語は、患者の方に向かう及び／又は患者の身体の穴又は腔内に挿入されている位置又は方向を指すために使用される。下に記載される実施形態は、分娩後出血を治療し、且つ子宮内の所望の位置にタンポナーデバルーンカテーテルを導入及び位置決めするために、タンポナーデバルーンカテーテルなどのタンポナーデ組立体と一緒に使用するための又はその付属品としてのイントロデューサデバイスに関連する。しかしながら、記載されるイントロデューサデバイスはまた、当業者に理解されるように、施されている技術又は処置に依存して、様々な体腔に挿入されるある範囲の医療器具と関連して使用されて、そのような器具を効果的及び効率的に導入及び位置決めし得る。以下に記載される実施形態はまた、子宮内の挿入、位置決め及び配置の間、タンポナーデ組立体の視覚化を支援するためのタンポナーデバルーンカテーテル用のエコー源性要素に関連する。
【００１１】
図１は、患者の解剖学的構造内に挿入及び位置決めされた、タンポナーデ組立体、すなわちタンポナーデバルーンカテーテル組立体２の一例を示す。バルーンは実線で膨張した状態で示され、収縮した状態は図１の仮想線によって示されている。位置決め又はイントロデューサデバイス１２は、タンポナーデバルーンカテーテル組立体２のルーメンの近位端１３内へと延在する。ドレナージ管４４が、イントロデューサデバイス１２の近位端に取り外し可能に取り付けられ、収集バッグ１１に至る。
【００１２】
タンポナーデは、出血源に直接圧力を加えることによる創傷の閉鎖又は閉塞であり、出血（ｂｌｅｅｄｉｎｇ）又は出血（ｈｅｍｏｒｒｈａｇｅ）を止める又は管理する有用な方法である。公知のタンポナーデ組立体の一例は、Ｂａｋｒｉバルーンカテーテル（Ｃｏｏｋ  Ｍｅｄｉｃａｌ  Ｔｅｃｈｎｏｌｏｇｉｅｓ  ＬＬＣ，Ｂｌｏｏｍｉｎｇｔｏｎ，Ｉｎｄｉａｎａ）を含む。タンポナーデバルーンカテーテル組立体２、すなわち、Ｂａｋｒｉバルーンカテーテルは、子宮腔内で拡張された状態で示されている。イントロデューサデバイス１２が、タンポナーデバルーンカテーテル組立体２のルーメン内に延在する。イントロデューサデバイス１２は、タンポナーデバルーンカテーテル組立体２のルーメン内に留まることができ、したがってタンポナーデバルーンカテーテル組立体２を適所に維持するためのポジショナーとしての機能も果たし、これによりユーザは、使用中、タンポナーデバルーンカテーテル組立体２を位置決めし直すことが可能になる。
【００１３】
図１で矢印によって示すように、イントロデューサデバイス１２は、経膣分娩の後にタンポナーデバルーンカテーテル組立体２を経膣的に挿入するために使用され得る。或いは、図８に示すように、イントロデューサデバイス１２は、帝王切開分娩の後にタンポナーデバルーンカテーテル組立体２を経腹的に導入するために用いられ得る。図８で矢印によって示すように、タンポナーデバルーンカテーテル組立体２と結合されたイントロデューサデバイス１２は、患者の腹壁にある帝王切開での開口部を通って子宮４内へと導入され得る。その後、タンポナーデバルーンカテーテル組立体２の近位端１３は、バルーン６の基部（これは、図８では収縮した状態にある）が内子宮口に接触するまで、膣管を通して引かれ得る。タンポナーデバルーンカテーテル組立体２の膨張前に、切開部は閉鎖され得るが、縫合している間、収縮したバルーン６を突き刺さないように注意する。
【００１４】
タンポナーデバルーンカテーテル組立体２は、分娩後出血（ＰＰＨ）を治療及び制御するために患者の子宮腔４内に配置されることを目的としているが、必要に応じて又は要望通りに、血管、骨、器官又は他の組織を含む、身体の様々な他の箇所、管腔又は穴にも使用され得る。その寸法は、血液などの流体が流れ出る子宮４、又は任意の他の標的体腔を進むために適切な寸法にされ得るように変更できる。図１に示すように、タンポナーデバルーンカテーテル組立体２は、好ましくは、縦方向本体９と遠位端１５及び近位端１３とを有するカテーテル８を含む。
【００１５】
ドレナージ用ルーメン１６が近位端１３と遠位端１５との間に縦方向本体９の長さに沿って延在し、一例では、コネクタ（Ｙ字形コネクタ又は任意の他の好適なコネクタなど）がカテーテル８の近位端１３に配置され得、これはバルーン６の膨張のためにカテーテル８を空気又は食塩水源に接続するため、及び／又はカテーテル８を、患者から排出された廃棄物、流体及び／又は血液を受け入れるための収集バッグ１１又は容器に接続するためのものである。カテーテル８は、その遠位端１５に又はその近くに、１つ又は複数の開口部１７を含み得、カテーテル８の遠位端１５が子宮４内に位置決めされているとき、開口部１７は、血液及び他の流体が、ドレナージ用ルーメン１６に入ってそこを流れることができるようにする。ドレナージ用ルーメン１６はまた、カテーテル８の遠位端１５にある開口部１７が、凝固した血液、組織又は他のデブリによって閉塞された場合にこれら開口部を洗い流すためになど、潅注流体又は他の物質を子宮４に導入するために使用され得る。カテーテル８はまた、縦方向本体９に沿った様々な点に追加的なポート又はオリフィスを含み得、血液又は他の流体がカテーテル８に入ることができるようにする。カテーテル８はまた、位置決め及び配置をさらに支援するために、シャフトの長さの上に及び／又はシャフトの長さに沿って、１つ又は複数の深さマーカを提供され得る。例えば、図１に示されるように、複数の線、リング、又は他の同様のタイプのマーキングが、カテーテルに沿ったいくつかの間隔を置いた離れた位置に配置され、例えば「ＸＸｃｍ」などの測定値で識別される。そのようなマーキングは、測定距離、挿入の長さ及び／又は深さ、並びに子宮内のカテーテル８の位置に関して医師に視覚的な表示を提供する。
【００１６】
図２に示されるように、カテーテル８は、タンポナーデバルーンカテーテル組立体２の少なくとも一部の視覚化を支援及び／又は向上する１つ又は複数の構成要素を含み得る。一例では、これは、タンポナーデバルーンカテーテル組立体２にエコー源性構造又は要素１９を提供することを含み得る。エコー源性要素１９は、タンポナーデバルーンカテーテル組立体２の１つ又は複数の部分の視覚化を向上するいずれかの構造を含み得る。次に、エコー源性要素は、図１に示すような超音波デバイス、トランスデューサ又はワンド２１などによって、超音波を介して見ることができる。より具体的には、エコー源性とは、超音波検査においてエコーを跳ね返す、又は信号を返す能力である。音響エコーを跳ね返す表面が音波を反射するとき、エコー源性はより高くなる。より高いエコー源性を有する組織又は要素は、通常、医療用超音波検査の画像においてより明るい色で表される。対照的に、より低いエコー源性を有する組織又は要素は、通常、より暗い色で表される。したがって、異なるエコー源性を有する要素又は組織の界面がある場合、目に見えるコントラスト差が表示される。したがって、１つ又は複数のエコー源性要素を提供することは、導入及び配置中、並びに使用及び回収中に、タンポナーデバルーンカテーテル組立体の場所及び位置のリアルタイムの向上したビューを有する能力を医師に提供するという利点を提供する。これはまた、患者の快適さ、成功率、安全性、効率、及び特定の手技の結果を改善する可能性がある。
【００１７】
エコー源性要素１９は、タンポナーデバルーンカテーテル組立体２と一体的に形成され得る。或いは、エコー源性要素１９は、別個に形成又は製造され、次いでタンポナーデバルーンカテーテル組立体２に取り付けられ得る。このような取り付けは、接着剤、ボンディング、オーバーモールディング、ＲＦ溶接、機械的アタッチメント、又はその他の適切なアタッチメントメカニズムによって達成され得る。タンポナーデバルーンカテーテル組立体２は、必要に応じて又は要望通りに、単一のエコー源性要素１９又は複数のエコー源性要素１９を備えてもよい。
【００１８】
一例では、タンポナーデバルーンカテーテル組立体２は、カテーテル８の遠位端１５に位置するエコー源性要素１９を含み得る。図２及び３に示されるように、複数のエコー源性ビーズ２３がカテーテル８の遠位端１５に存在する。一例では、エコー源性ビーズ２３はガラスで形成され得、カテーテル８のシャフトの遠位端１５にオーバーモールドされるポリマー材料に埋め込まれ得る。ポリマービーズ２３が埋め込まれ得る、取り付けられ得る又は他の方法で接着され得るポリマー材料は、カテーテル８の遠位端１５上にオーバーモールド、成形、又は形成され得るゴム、プラスチック、及び／又は他の順応性材料を含み得る。１つの非限定的な例では、ポリマー材料はシリコーンを含み得る。エコー源性ビーズ２３は、分子コーティングを含み得る。そのような分子コーティングは、ビーズ２３が、それらが埋め込まれるか又は接着されるシリコーンを含むポリマー材料によりよく接着又は結合することを可能にし得る。ガラスエコー源性ビーズ２３の一例は、Ｐｏｔｔｅｒｓ  Ｉｎｄｕｓｔｒｉｅｓ  ＬＬＣによって供給されている。
【００１９】
エコー源性ビーズ２３は、様々な形状、サイズ、及び寸法であり得ることが考えられる。ビーズ２３は、エコー源性特性を有する他の材料によって形成され得ることもまた考えられる。他の例では、カテーテル８の遠位端１５上に単一の固体エコー源性先端を形成し得る球、ディスク又はドームなどのエコー源性要素１９を使用することができる。１つ又は複数の追加のエコー源性要素１９はまた、カテーテル８の長さに沿った及び／又はバルーンカテーテル組立体２上の１つ又は複数の位置に存在し得る。例えば、エコー源性特性を有する円筒形バンド又は他のマーキングが、カテーテル８及び／又はバルーンカテーテル組立体２の表面に存在し得る、又は適用され得る。
【００２０】
エコー源性要素１９は、タンポナーデバルーンカテーテル組立体２上の１つ又は複数の位置に様々な量、パーセンテージ、密度、又は量で存在し得る。一例では、エコー源性ビーズ２３のより高い体積パーセント（より高い濃度）は、カテーテル８の遠位端１５に存在する可能性があり、これは超音波反射を強める可能性がある。エコー源性要素１９の体積パーセントが高いほど、超音波下で見たときにエコー源性要素１９が存在するタンポナーデバルーンカテーテル組立体２の特定の部分の視覚化が高められる、又は増強する可能性がある。図３に示すように、例えば、４種類の異なるバルーンカテーテル組立体の４種類の遠位端１５（遠位先端）が、超音波で見られるように表示されている。各遠位端１５は、存在するエコー源性要素１９の体積パーセントが異なる。
【００２１】
より具体的には、４種類の別個の遠位端１５はそれぞれ、ポリマー材料に埋め込まれ、次いでタンポナーデバルーンカテーテル組立体２の遠位端１５にオーバーモールドされた、異なるパーセンテージ又は濃度のエコー源性ビーズ２３を有する。図３に示されているのは、各タンポナーデバルーンカテーテル組立体２の遠位端１５の先端である。第１の（左端の）遠位先端には、エコー源性要素１９が存在しない。換言すると、遠位端１５は、エコー源性ビーズ２３も他のエコー源性要素１９も存在しない。左から２番目に示される画像は、カテーテル８の遠位端１５にオーバーモールドされたポリマー材料に埋め込まれた５体積％の濃度のエコー源性ビーズ２３を有する。左から３番目に示される画像は、カテーテル８の遠位端１５にオーバーモールドされたポリマー材料に埋め込まれた１０体積％の濃度のエコー源性ビーズ２３を有する。最後に、右端に示される画像は、カテーテル８の遠位端１５にオーバーモールドされたポリマー材料に埋め込まれた１５体積％の濃度のエコー源性ビーズ２３を有する。一例では、エコー源性ビーズ２３のパーセント濃度は、カテーテル８の遠位先端又は遠位端１５にオーバーモールドされたシリコーンに埋め込まれたエコー源性ビーズ２３の約５体積％〜約１０体積％の濃度であり得る。
【００２２】
１つ又は複数のエコー源性要素１９のより高い又はより低い濃度が、必要に応じて又は要望通りに使用され得ることが理解されるであろう。様々な濃度の異なるエコー源性要素１９が、タンポナーデバルーンカテーテル組立体２上の、又はそれに沿った異なる位置に配置され得ることも理解されよう。これは、例えば、タンポナーデバルーンカテーテル組立体２のどの部分をユーザが組立体２の挿入及び配置中に超音波によって視覚化を向上又は増強したいかに依存し得る。１つの非限定的な例では、エコー源性要素１９は、カテーテル８の長さに沿った１つ又は複数の位置に位置付けられ得る。これは、単一又は複数のエコー源性要素１９であり得る。カテーテル８の縦方向本体９に沿った単一のエコー源性要素１９は、サイズ又は直径がより大きくあり得る一方、複数のエコー源性要素１９は、複数のエコー源性ビーズ２３の形態で上に記載したようにタンポナーデバルーンカテーテル組立体２の遠位端１５に存在し得る。
【００２３】
バルーン６などのタンポナーデ構造は、カテーテル８の遠位端１５の近くに配置され、好ましくは、ゴム、シリコーン、ラテックス又は任意の他の拡張できる生体適合性材料などの拡張可能な材料で作製される。バルーン６の代わりに又はそれに加えて、拡張できるか又は他の方法で子宮腔４に外形が一致できる複数のアーム、管、ループ、メッシュ又は同様の構造などの他のタンポナーデ機構も使用され得る。全体的に図６及び７に示すように、カテーテル８内の膨張用ルーメン１４が、バルーン６の膨張及び収縮を可能にするように提供される。膨張用ルーメン１４は、ドレナージ用ルーメン１６と平行に延び得るが、好ましくは、２つのルーメン１４、１６は、それらの全長にわたり分離されたままであり、及びそれぞれのルーメンは、全体的に同じサイズとし、及び同様の内径を有し得るか、又は、その代わりに、それぞれの膨張用ルーメン１４及びドレナージ用ルーメン１６は、異なるサイズ、寸法及び／又は内径を有し得る。
【００２４】
一例では、図６及び７に示すように、ドレナージ用ルーメン１６は、膨張用ルーメン１４よりも大きい場合があり、その結果、ドレナージ用ルーメン１６の内径は、膨張用ルーメン１４の内径よりも大きく示されている。一実施形態では、ドレナージ用ルーメンの内径は約０．２１５インチであり得るが、より大きい又は小さい他の寸法が考えられる。さらに、一例では、隔壁又は分離壁１８が、膨張用ルーメン１４とドレナージ用ルーメン１６を分離する。隔壁１８の配置によって、膨張用ルーメン１４及びドレナージ用ルーメン１６のそれぞれが全体的に「Ｄ」字形状の横断面を有するようになる。しかしながら、それぞれのルーメンが、必要に応じて又は要望通りに、ほぼ同じ内径又は異なる内径を有し得るように、ルーメン１４、１６を分離する隔壁１８を配置し得るため、それぞれのルーメン１４、１６の形状及び相対的なサイズは変化し得る。
【００２５】
少なくとも図１、６及び８に示すように、カテーテル８の近位端１３は、分岐又はサイドアーム２０を含み得る。或いは、上記の「Ｙ」コネクタが使用される場合、これは、「Ｙ」字接続の１つの分岐であり得る。図６に断面で示すように、このサイドアーム２０は、膨張用ルーメン１４と流体連通している。様々な媒質、例えば水、食塩水、空気又は他の生理的適合性媒質が、膨張用ルーメン１４を通して導入され、バルーン６の制御された拡張を容易にし得る。食塩水バッグ、食塩水充填シリンジ又は他の膨張源などの膨張源に接続されると、膨張用媒質が、サイドアーム２０を通して膨張用ルーメン１４に導入され得、カテーテル８のルーメンを通ってバルーン６内へと遠位方向に流れることができるようになるため、バルーンの拡張が容易となる。
【００２６】
ひとたびバルーン６が患者の子宮４内に配置されたら、バルーン６は、膨張され得るか又は他の方法で拡張され得る。好ましくは、バルーン６は十分な順応性を有し、その結果、拡張されると、それが配置される腔の形状及び輪郭に全体的に一致し、収縮されると、頚部７及び膣５を（又は、帝王切開分娩の場合には、図８に示すような腹部の切開部を）簡単に通過して除去されるようにプロファイルが十分に減少され得る。バルーン６が拡張し得るサイズ及び体積は、好ましくは、出血の制御が必要とされる体腔によって決定される。図１に示すように、バルーン６は、好ましくは、十分な体積及び圧力で膨張されて、全体的に子宮腔４の輪郭に、より具体的には、子宮下部に一致するようにする。その後、膨張されたバルーン６は、子宮壁に全体的に均一な圧縮力又は圧力を加え、子宮の出血（ｂｌｅｅｄｉｎｇ）又は出血（ｈｅｍｏｒｒｈａｇｅ）を実質的に減少させるか又はさらには止める。子宮壁に接触するバルーン表面の全て又は少なくとも一部分を、子宮出血の制御を強化又は支援し得る生体適合性材料、薬又は他の物質で被覆するか又は含浸させることも可能とし得る。１つの非限定的な例では、これは、筋収縮又は凝固促進薬、又はバルーン６の膨張／収縮を促す他の物質を含み得る。
【００２７】
上述の通り、タンポナーデバルーンカテーテル組立体２は、１つ又は複数の他の構成要素又は付属品を含み得る。一例では、これは、イントロデューサデバイス１２を含み得る。イントロデューサデバイス１２は、タンポナーデバルーンカテーテル組立体２と一体的に形成され得る及び／又はそれに結合され得る。それゆえ、タンポナーデバルーンカテーテル組立体２とイントロデューサデバイス１２の組み合わせ体は、パッケージから出してすぐに医師に提供され得る。或いは、イントロデューサデバイス１２は、別々に提供される構成要素とし得、この構成要素は、タンポナーデバルーンカテーテル組立体２の使用前又は使用中に、タンポナーデバルーンカテーテル組立体２のカテーテル８に挿入され、且つタンポナーデバルーンカテーテル組立体２の近位端１３に取り外し可能に結合され得る。
【００２８】
図１、６及び８に全体的に示されるように、イントロデューサデバイス１２はスタイレット１０を含み、スタイレット１０の近位端にはハブ２２が配置され得る。スタイレット１０は、カテーテル８に構造体又は追加的な剛性を提供し得、上述の通り、カテーテル内で一体的に形成され得るか、又はその代わりに、スタイレット１０は、タンポナーデバルーンカテーテル組立体２の使用前又は使用中に、医師によってカテーテル８に挿入され得る。好ましくは、スタイレット１０は、図６及び７に示されるようにドレナージ用ルーメン１６内を、又はその代わりに膨張用ルーメン１４を通って又はカテーテル８の追加的な若しくは別個のルーメンを通って、縦方向に延在する。１つの非限定的な例では、スタイレット１０は、図９及び１０に示されるように中実ロッド又はマンドレルであり得る。しかしながら、スタイレット１０は、必要に応じて又は所望通りに他の形状又は寸法であり得、例えばルーメンがその中を延びる中空管又はカニューレなどであり、これは子宮４などの体腔から排出する血液又は他の流体が流れ得る追加的なドレナージ導管を提供する。
【００２９】
図４、５及び９に示されるように、一実施形態では、スタイレット１０は、コラム強度を維持し及びカテーテル８を支えるために十分な剛性を提供するが、依然として患者の解剖学的構造を進むのに十分な可撓性を提供する金属、プラスチック及び／又は他の材料を含むロッド状構造体を含み得る。一例では、スタイレット１０は、ステンレス鋼ロッドであり得る。スタイレット１０は、他の金属、又は例えばニチノールを含む形状記憶合金を含む合金で形成され得ることも考えられる。スタイレット１０は、近位端２４、遠位端２６、及び近位端２４と遠位端２６との間に配置された中央セクション２８を有する。スタイレットの長さは、約４７ｃｍ〜約５３ｃｍの範囲、好ましくは約５０ｃｍであり得るが、必要に応じて及び要望通りに他の適切な長さが考えられる。スタイレットの外径は、約０．０１５インチ〜約０．１２５インチであり得、一例では、好ましくは約０．０４インチであり得る。スタイレット１０が図７に示すようにカテーテル８のドレナージ用ルーメン１６内の所定の位置に留まっているときに、ドレナージ用ルーメン１６を通って流れる流体及び／又は組織が同じくスタイレット１０の外面の周りを効率的且つ自由に流れることができるように、最小外径を有するスタイレット１０を提供することが有利である。一例では、スタイレットの外径は、ドレナージ用ルーメン１６の内径の半分（５０％）未満である。別の例では、スタイレットの外径は、ドレナージ用ルーメン１６の内径の４分の１（２５％）未満である。さらに別の例では、スタイレットの外径は、ドレナージ用ルーメン１６の内径の１０％未満である。さらなる例では、スタイレットの外径は、ドレナージ用ルーメン１６の内径の５％未満である。
【００３０】
したがって、スタイレット１０は、出血を治療するためのタンポナーデバルーンカテーテル組立体２の使用中、カテーテル８のドレナージ用ルーメン１６内の適所に残され得る。換言すると、イントロデューサデバイス１２は、流体を子宮腔４から排出できるようにするために、タンポナーデバルーンカテーテル組立体２のルーメンから除去される必要はない。しかしながら、必要な場合又は所望される場合、イントロデューサデバイス１２は、使用中、タンポナーデバルーンカテーテル組立体２から除去され、その後、カテーテル８のルーメンに再び挿入されて、タンポナーデバルーンカテーテル組立体２の再位置決めを支援し得、及び／又は出血が止まりタンポナーデバルーンカテーテル組立体２の使用が完了したときの除去を支援し得る。意図する使用に対するスタイレット１０のコラム強度、剛性、捻力、可撓性、及び柔軟性を含むがこれらに限定されない属性及び特性の所望の組み合わせを提供するためにスタイレット１０の他の形状、寸法及び構造が必要に応じて考えられる。
【００３１】
スタイレット１０は、カテーテル８の全長又は長さの少なくとも一部分に延び、例えば、カテーテル８の遠位端１５の開口部１７に隣接した又はすぐ遠位の箇所まで延在し得るか、又は少なくとも、カテーテル８に縦方向の安定性を加えるように十分な長さで延在し得る。スタイレット１０の十分なコラム強度は、押し込み性を提供しながら、カテーテル８の望ましくない折り畳み及び／又は曲げを減少させるか又は実質的になくし、また、経膣挿入（及び／又は帝王切開の切開部を通した挿入）の最中、及び、子宮４内でのバルーン６の位置決めの最中、縦方向の短縮、収縮及び／又は潰れに抵抗し且つそれを防止する。スタイレット１０はまた、損傷、穿孔、裂傷又は外傷を引き起こさずに、患者の解剖学的構造の輪郭を進むために、十分な可撓性及び柔軟性を有する。
【００３２】
少なくとも図４〜６に大まかに示されるように、イントロデューサデバイス１２は、スタイレット１０の近位端２４にハブ部分２２をさらに含み得る。ハブ２２は、近位端３０及び遠位端３２と、その間に延在しルーメン４０を画定する側壁３４とを含む。一例では、ハブ２２の外径は、ハブ２２がスタイレット１０に結合される場所又はその近くの遠位端３２で約０．３１３インチであり得る。ハブ２２の遠位端３２は、スタイレット１０の近位端２４と一体的に形成され得るか、又はそれは別個に形成され、ボンディング、接着剤、及び／又は他の適切なアタッチメント機構などにより、スタイレット１０に取り付けられ得るか、又はオーバーモールドされ得る。一例では、溶融ハブは、スタイレット１０の近位端２４上にオーバーモールドされ得る。一例では、スタイレット１０の近位端２４は、平坦化及び／又は拡大されて、図６に示すようにハブ２２がスタイレット１０にオーバーモールドされるか又は別の方法で取り付けられ得るより大きな表面積を提供し得る。ハブ２２は、スタイレット１０の軸と同軸であり得るか、又はハブ２２は、スタイレット１０の近位端２４からオフセット又は角度付けされ得る。図４に示されるように、スタイレット１０は、ハブの遠位端の一方の側又は壁から延び得る。ハブの側壁３４は、概して均一な厚さを有し得るか、又は１つ又は複数の部分が他の部分よりも厚い様々な厚さを有し得る。例えば、スタイレット１０が取り付けられていないハブ側壁３４の部分は、スタイレット１０が側壁３４に取り付けられている部分よりも薄くてもよい。側壁３４のより薄い部分は約０．０６８インチであり得る一方、スタイレット１０がハブ２２に取り付けられる側壁３４のより厚い部分３７は、約０．１２０インチであり得る。１つの非限定的な例では、ハブ側壁３４のより厚い部分３７は、スタイレット１０の片側において約０．０４０インチ、さらにスタイレット１０自体の厚さが直径０．０４０インチであり、次いでスタイレット１０の他方側において約０．０４０インチの別の厚さを含み、合計の厚さは約０．１２０インチであり得る。したがって、図４に示されるような斜視図でハブ２２を見るとき、ハブ２２の遠位端３２は、約０．３１３インチの外径を有し得、その内訳は、０．０６８インチの側壁３４のより薄い部分、さらにＤ字形ハブルーメン４０の直径（約０．１２５インチであり得る）、さらにスタイレット１０がハブ２２に取り付けられるハブ側壁３４の厚くされた部分３７の０．１２０インチ厚さである。これらの寸法は例示であり、制限するつもりはなく、当業者が理解し得るように他の寸法が考えられる。ハブ側壁３４の厚くされた部分３７は、スタイレット１０がハブ２２に取り付けられるのに十分な取り付け領域を提供し得る。
【００３３】
スタイレット１０の遠位端２６は、非外傷性先端３９を含み得る。非外傷性先端３９は、イントロデューサデバイス１２がドレナージ用ルーメン１６に挿入されるとき、スタイレット１０の遠位端２６でカテーテル８の内面をこする、突き刺す、引き裂く、又は損傷するリスクを低減又は排除する。一例では、スタイレット１０の遠位端２６は、ゴム、プラスチック又は他のエラストマー材料などのより柔らかい材料でオーバーモールドされ得、その結果、スタイレット１０の遠位端２６は、順応性があり、柔らかく、曲げることができ、したがって非外傷性である。別の例では、スタイレット１０の遠位端２６は、金属、プラスチック、ゴム、又は１つ若しくは複数の材料の組み合わせで形成された球、ディスク、ボール又はビーズ或いは他の同様の丸みを帯びた構造を含み得る。ボールは中実であり得るか、又はディンプルを含み得るか、又は「ホイッフルボール（ｗｈｉｆｆｌｅ  ｂａｌｌ）」構成と同様に１つ又は複数の穴がその中に形成され得る。図９及び１０に示されるさらに別の例では、スタイレット１０の遠位端２６は、ループ、リング、投げ縄又はアイレットタイプの構造を形成するために曲げられ得るか、又は丸くされ得る。図９及び１０に示されるアイレット形状の遠位先端３９は、スタイレット１０を形成するために使用されるのと同じ材料から形成され得るか、又は異なる材料又はそれらの組み合わせから形成され得る。
【００３４】
一例では、ハブ２２は、しなやかであり且つ他の構成要素又は継手（ドレナージ管４４及び／又はドレナージ用継手４２）とのシールを提供するのに十分に柔らかいが、使用中にイントロデューサデバイス１２を患者に挿入する際に押し込み性を有するのに十分に剛性のデュロメータを有するポリマー成形品又は鋳造物を含むがこれらに限定されない、生体適合性エラストマーで形成され得る。ハブ２２は、ウレタン又はシリコーンなどのポリマーで形成されてもよく、又はコポリマーで形成されてもよい。シリコーン及びゴム及び／又はプラスチックなどのエラストマーを含む他の材料を使用してハブ２２を形成することもできる。一例では、ハブ２２は、ナイロンブレンド（例えば、Ｐｅｂａｘ（登録商標）など）で形成することができる。ハブ２２は、約２５Ｄ〜約４０Ｄのデュロメータを有し得る。スタイレット１０が取り付けられているハブ２２のより厚い壁３７は、異なる材料又は追加の材料で形成され、補強され、又はハブ２２の他の部分とは異なるデュロメータを有することができると考えられる。これは、スタイレットの取り付けに対応するために、ハブ２２のより強い、より頑丈な、又はより安定した部分を提供することができる。より厚い壁３７は、ハブ２２の近位端３０及び遠位端３２の間の全長又は全距離に延びることができ、又はより厚い壁３７は、ハブ２２の近位端及び遠位端の間を部分的にのみ延びることができる。図６の一例に示されるように、より厚い壁は、ハブ２２の遠位端３２から近位端３０に向かって終端し、そこでスタイレット１０の近位端２４に結合される。さらに、ハブ側壁３４の厚くされた部分３７は、ハブ２２の円周の周りに部分的に延び得る。別の例では、厚くされた部分３７は、ハブ２２の少なくとも一部の全円周の周りに延びる。
【００３５】
図４〜６に示されるように、ハブ２２の近位端３０は、半径方向外向きにフレア状に広げられ得、その結果、半径方向内向きに先細になり得るハブ２２の遠位端３２よりも大きな外径を有する。ハブ２２の外面の少なくとも一部に１つ又は複数のリブ、ねじ山又は隆起３８が存在し得る。図５に示される１つの非限定的な例では、複数の隆起３８が、リング状の突起でハブ２２の側壁の周りに延び、ハブ２２の近位端３０は、そのような隆起３８のない、概して滑らかな表面を含む。隆起３８は、イントロデューサデバイス１２を操作するとき、及び／又はイントロデューサデバイス１２のハブ２２をカテーテル８の近位端１３に挿入するとき又はそれから取り出すとき、ユーザの把持面を強化し得る一方で、概して滑らかな近位端３０はまた、強化された安定性及び構造、並びに把持面を提供する。隆起の数、並びにそれらの形状、（不）連続性、及び相互の相対角度及びハブ２２の縦軸との相対角度が一例として提供されているが、ここで本実施形態の範囲内に留まるが、非常に異なる視覚的外観を提供しながら、さらに他の構成が望ましい強化された把持機能を提供することを理解されたい。例えば、表面は、刻み付き表面；直線、ジグザグ、又は違った風に方向付けることができる長方形、六角形、又はその他の角のある幾何学的断面の円周方向又は非円周方向のリブ／隆起；凸面状及び／又は凹面状にくぼみが形成された表面；及び改善された把持機能を提供することが知られている他の表面構成など、示され、記載されている隆起の代わりに、又はそれに加えて、１つ又は複数の特徴を含むことができる。
【００３６】
図６に示すように、ハブ２２の先細にされた遠位端３２は、好ましくは、カテーテル８の近位端１３への取り外し可能な取り付け又は結合のための形状にされる。例えば、ハブ２２の遠位端３２の又はその近くのリブ付き外表面は、図６に示すように、カテーテル８の近位端１３に挿入され得る（又は他の方法で、かかり、ねじ山及び／又は他の対応する係合可能な面などによって、それに係合され得る）。このようにして、タンポナーデバルーンカテーテル組立体２及びイントロデューサデバイス１２は結合されて、ユニットとして一緒に動かされて、子宮４内へのタンポナーデバルーンカテーテル組立体２の好都合にして効率的な挿入、位置決め及び再位置決めを実現し得る。ハブ２２の遠位端３２は、締り嵌め又は摩擦嵌合又はカテーテル８の近位端１３内に配置された対応するねじ山、かかり若しくはシール面などによって、カテーテル８の近位端１３内の適所に留まり得るが、それぞれの構成要素間の他の取り付け方法も使用され得る。
【００３７】
ハブ２２の中には少なくとも１つのルーメン４０が形成され得る。ハブルーメン４０は、近位ハブ端部３０と遠位ハブ端部３２との間のハブ２２の任意の部分に形成され得るが、図４及び図６に示すように、ハブルーメン４０は、ハブ２２の近位端と遠位端の間に延在し、流体がハブ２２を通って自由に流れることを可能にする。ハブルーメン４０はまた、図６に示すように、ドレナージ継手４２がハブ２２の近位端３０に取り外し可能に取り付けられ得るアパーチャを提供する。一例では、ドレナージ継手４２はかかり付き継手であるが、ハブルーメン４０との取り外し可能な取り付けのための任意の継手を使用し得ることが考えられる。
【００３８】
タンポナーデバルーンカテーテル組立体２の使用中にドレナージ継手４２を配置するためにルーメン４０を提供する代わりに又はそれに加えて、ハブルーメン４０はまた、カテーテル８の近位端１３から延在する膨張用ポート又はサイドアーム２０を受け入れるための開口部を提供し得る。サイドアーム２０は、経腹的アプローチを介して子宮４にタンポナーデバルーンカテーテル組立体２を挿入している間、図８及び図１１に示すように、摩擦嵌合又は締り嵌めなどによって、イントロデューサデバイス１２のハブルーメン４０内に取り外し可能に固定され得る。ハブ２２は、ルーメン４０に加えて、追加的なドレナージ点又は膨張点を可能にする、及び／又は図６に示すように、イントロデューサデバイス１２がタンポナーデバルーンカテーテル組立体２に結合されるときに、追加的な管又はカテーテルをハブ２２に取り外し可能に取り付けて、カテーテル８と流体連通するように配置することを可能にする、他の開口部又はアパーチャを含み得る。
【００３９】
バルーン６が子宮腔内で展開されると、子宮壁に接するバルーン６の外向きの力が、子宮４からのバルーン６の除去に抵抗するのを助ける。しかしながら、内部スタイレット１０によってタンポナーデバルーンカテーテル組立体２のカテーテル８にもたらされた剛性は、カテーテル８の縦方向の潰れを低減及び／又は軽減し、少なくともバルーン６とイントロデューサデバイス１２のハブ２２との間に配置されたカテーテル８の部分が、構造的完全性及び縦方向長さを維持するようにする。これは、子宮４が不十分な大きさの頚部を通してバルーン６を「送達」しようとする（それゆえカテーテル本体９に対して近位方向に圧力を加える）場合、及び／又は医師が挿入する最中に子宮４内へとカテーテル８を押す（それゆえカテーテル本体９に対して、遠位方向に圧力を加える）ときなど、力が近位及び／又は遠位方向のいずれかに加えられるときの、長尺なカテーテル本体９の縦方向の収縮又は潰れを低減及び／又は軽減する。本質的には、スタイレット１０は、タンポナーデバルーンカテーテル組立体２の導入、位置決め及び使用の最中に、カテーテル８を支えるための足場を提供する。
【００４０】
ここで、図１及び８を参照すると、イントロデューサデバイス１２による、Ｂａｋｒｉバルーンカテーテルなどのタンポナーデバルーンカテーテル組立体２の導入は、以下に記載される通りであり得る。子宮タンポナーデバルーンカテーテル組立体２が患者の体内に挿入される前、イントロデューサデバイス１２は、タンポナーデバルーンカテーテル組立体２の近位端１３に挿入され得、ハブ２２がタンポナーデバルーンカテーテル組立体２の近位端１３に結合される。或いは、イントロデューサデバイス１２がタンポナーデバルーンカテーテル組立体２に予め取り付けられている場合もあり、そのためイントロデューサデバイス１２に結合されたタンポナーデバルーンカテーテル組立体２は、パッケージから出してすぐにユニットとして使用準備が整っている。図８及び１１に示すように、タンポナーデバルーンカテーテル組立体２の近位端１３にある膨張用ポート又はサイドアーム２０は、ハブ２２の近位端３０に挿入され、子宮４内へタンポナーデバルーンカテーテル組立体２を挿入している間、摩擦嵌合又は締り嵌めなどによって、イントロデューサデバイス１２のハブルーメン４０内に取り外し可能に固定され得る。換言すると、タンポナーデバルーンカテーテル組立体２の近位端１３のすぐ近位に配置されたイントロデューサデバイス１２のハブ２２によって、使用中にバルーン６が膨張するためのポートを提供するタンポナーデバルーンカテーテル組立体２のサイドアーム２０は、ハブルーメン４０に押し込まれて、タンポナーデバルーンカテーテル組立体２を薄型及びコンパクトな送達構成に維持して、特に、図８に示すような子宮への「ハブが最初の」経腹的挿入の最中、サイドアーム２０が、タンポナーデバルーンカテーテル組立体２の導入を妨げるのを、又は組織に引っかかるのを防止し得る。
【００４１】
経膣分娩に続いて、タンポナーデバルーンカテーテル組立体２は、イントロデューサデバイス１２がタンポナーデバルーンカテーテル組立体２のルーメン内の適所にある状態で、図１に示すように、膣５を通って子宮４内へと「バルーンが最初に」挿入され得る。或いは、帝王切開分娩に続いて、タンポナーデバルーンカテーテル組立体２のルーメン内の適所でイントロデューサデバイス１２に結合されたタンポナーデバルーンカテーテル組立体２は、図８に示すように、腹部の切開部を通して「ハブが最初に」挿入され得る。ハブ２２及びタンポナーデバルーンカテーテル組立体２の近位端１３は、バルーン６の基部が内子宮口に接触するまで、膣管を通して引かれ得る。
【００４２】
バルーン６が子宮４内のその所望の位置にある状態で、サイドアーム２０は、ハブルーメン４０内に押し込まれて保持されているその位置から除去され得る。その後、バルーン６は、カテーテル８の膨張用ルーメン１４を通して生理学的に好適な流体を用いて膨張され得るか、又は他の方法で拡張され得る。十分に拡張されたバルーン６の形状は、全体的に、子宮４の内部、好ましくは子宮下部の形状に一致するため、子宮壁に対して圧縮力を加える。一例では、バルーン６は、２００〜５００ミリリットルの食塩水で迅速に且つ注意深く膨張され得る。バルーン６は、必要な場合には、部分的に又は完全に収縮されて、再位置決めを可能にし得る。詰め物が膣５に追加されてもよいし、又はカテーテル８のシャフトに牽引力が加えられて、タンポナーデバルーンカテーテル組立体２の効果を高めてもよい。
【００４３】
イントロデューサデバイス１２は、所望の場合には、使用中、タンポナーデバルーンカテーテル組立体２のドレナージ用ルーメン１６内の適所に留まり得る。子宮４からカテーテル８を通して近位方向に排出される血液又は他の流体は、ハブ２２に形成されたルーメン４０を流れ、且つハブルーメン４０を通ってハブ２２の近位端３０から出てもよい。図１及び６に示すように、ドレナージ管４４は、ハブルーメン４０に挿入され、且つ摩擦嵌合、締り嵌め又は他の好適なアタッチメント手段若しくは機構などによって、ハブルーメン４０内の適所にぴったりと固定して保持されるドレナージ用アダプタ継手４２によって、ハブルーメン４０に取り外し可能に取り付けられる。ドレナージ用アダプタ継手４２の挿入及び除去（並びに、上述のようなサイドアーム２０の挿入及び除去）、及びユーザがハブルーメン４０と流体連通して配置したいかもしれない任意の他の管、アダプタ、継手又は付属装置の挿入及び除去を容易にできるようにするために、ハブ２２は、ユーザが、ハブルーメン４０を開放するか又は広げるように少なくとも近位端３０を締め付ける又は他の方法で操作することができるように、十分に曲げやすく且つ可撓性がある。しかしながら、ドレナージ用アダプタ継手４２を適所に固定するための他の好適な機構が使用されてもよい。ハブ２２を通して近位に排出される血液及び他の流体は、廃棄物収集バッグ１１で収集されるために、ドレナージ用アダプタ継手４２を通ってドレナージ管４４内へと流れ続け得る。廃棄物収集バッグ１１への流体の量及び流れは、出血が減少した又は止まったときを判断するために、監視され得る。医師によって判断されるように出血が適切に止まると、バルーン６は、バルーンを収縮させるためにドレナージ用ルーメン１６を通して迅速に排出され得る。その後、タンポナーデバルーンカテーテル組立体２が患者から経膣的に除去され得る。
【００４４】
本明細書を通して、文脈上他の意味に解すべき場合を除き、「備える（ｃｏｍｐｒｉｓｅ）」及び「含む（ｉｎｃｌｕｄｅ）」という語、並びに「備える（ｃｏｍｐｒｉｓｉｎｇ）」及び「含む（ｉｎｃｌｕｄｉｎｇ）」などの変形例は、アイテム又はアイテム群の包含を暗示するが、他のアイテム及びアイテム群の除外を暗示しないことが理解される。
【００４５】
本発明の様々な実施形態を記載してきたが、当業者には、本発明の範囲内でより多くの実施形態及び実施例が可能であることが明白である。さらに、様々な表示が本発明の範囲に関して与えられたが、本発明は、これらのいずれか１つに限定されるものではなく、これらの２つ以上が組み合わせられたものに存在し得る。したがって、本発明は、添付の特許請求の範囲及びそれらの等価物を踏まえずに、限定されることはない。
【図１】
2022500219.tif 000003
【図２】
2022500219.tif 000004
【図３】
2022500219.tif 000005
【図４】
2022500219.tif 000006
【図５】
2022500219.tif 000007
【図６】
2022500219.tif 000008
【図７】
2022500219.tif 000009
【図８】
2022500219.tif 000010
【図９】
2022500219.tif 000011
【図１０】
2022500219.tif 000012
【図１１】
2022500219.tif 000013
【国際調査報告】
2022500219.tif 000014
2022500219.tif 000015
2022500219.tif 000016
2022500219.tif 000017